(57)【要約】【課題】密着型イメージセンサ（ＣＩＳ）の焦点深度のベストポイントであるＣＩＳのコンタクトガラス面に当接させた白基準板を設けた場合でも、その白基準板が原稿搬送における妨害物とならない画像読み取り装置を提供すること。【解決手段】密着型イメージセンサ１を使用する画像読み取り装置において、原稿が前記密着型イメージセンサ１上を通過するときに、支点５を中心に回転する回転体４をシェーディング補正用の白基準とし、前記回転体４の回転によって、前記密着型イメージセンサ１のコンタクトガラス３面と前記回転体４との間に原稿搬送隙間を確保する。【選択図】　　　　図１
2004080448.tif 000002
【特許請求の範囲】
【請求項１】
密着型イメージセンサを使用する画像読み取り装置において、原稿が前記密着型イメージセンサ上を通過するときに、支点を中心に回転する回転体をシェーディング補正用の白基準とし、前記回転体の回転によって、前記密着型イメージセンサのコンタクトガラス面と前記回転体との間に原稿搬送隙間を確保することを特徴とする画像読み取り装置。
【請求項２】
前記回転体の支点位置が偏心位置にあることを特徴とする請求項１記載の画像読み取り装置。
【発明の詳細な説明】
【０００１】
【発明の属する技術分野】
本発明は、密着型イメージセンサ（ＣＩＳ）を有するファクシミリ、複写機、イメージリーダー等において密着型イメージセンサでのシェーディング補正を行うための白基準機構を有する画像読み取り装置に関する。
【０００２】
【従来の技術】
密着型イメージセンサでのシェーディング補正を行うための白基準機構を有する画像読み取り装置に関する技術について記載がある特許公報を列挙すれば、以下のごとき、特開平０５−１６２８８８号公報、特開平０６−０５４１８９号公報、特開平０６−１２１１３２号公報、特開平０６−２６８８６１号公報、特開平０７−１７７３２０号公報、特開平０８−２６５４９９号公報、特開平０８−３３１３２４号公報、特開平０９−２７０８８４号公報、特開平１１−１２７３４９号公報等がある。
【０００３】
【発明が解決しようとする課題】
しかしながら、回転体は円筒形状であり、ＣＩＳとは当接し、ＣＩＳと回転体との押圧との関係で原稿搬送を行っており、十分な原稿搬送通路が確保できていない。
【０００４】
本発明の目的は、ＣＩＳの焦点深度のベストポイントであるＣＩＳのコンタクトガラス面に当接させた白基準板を設けた場合でも、その白基準板が原稿搬送における妨害物とならない画像読み取り装置を提供することにある。
【０００５】
本発明の他の目的は、とくに回転体が従来のような円筒形状（例えばプラテンローラ）を有しても、白基準板が原稿搬送における妨害物とならない画像読み取り装置を提供することにある。
【０００６】
【課題を解決するための手段】
前記の課題を解決するために、請求項１記載の発明では、密着型イメージセンサを使用する画像読み取り装置において、原稿が前記密着型イメージセンサ上を通過するときに、支点を中心に回転する回転体をシェーディング補正用の白基準とし、前記回転体の回転によって、前記密着型イメージセンサのコンタクトガラス面と前記回転体との間に原稿搬送隙間を確保する画像読み取り装置を最も主要な特徴とする。
【０００７】
請求項２記載の発明では、前記回転体の支点位置が偏心位置にある請求項１記載の画像読み取り装置を主要な特徴とする。
【０００８】
【発明の実施の形態】
以下、図面により本発明の実施の形態を詳細に説明する。図１は本発明による画像読み取り装置の基本構成を示す概略図である。図２は図１の密着型イメージセンサと回転体を示す概略斜視図である。
【０００９】
密着型イメージセンサ（ＣＩＳ）１は筐体２およびコンタクトガラス３を含んでいる。コンタクトガラス３上にはシェーディング補正用の白基準となる白基準板である回転体４が設けてある。この回転体４は、対称の組み合わさった扇形２枚の形状となっており、白基準を原稿搬送スピードに合わせて対応させる構成である。
【００１０】
回転体４は中心支点５を中心にコンタクトガラス３面上で回転する。原稿６を走査する前にシェーディング補正用の白データをとるために、回転体４はコンタクトガラス３面上にあり、原稿６の通過と共に、回転体４は、原稿６の搬送の妨害とならないように回転し、原稿搬送通路となる隙間ができる。
【００１１】
なお、この隙間は図示してないが、回転体４が回転した後に原稿６が進入するコンタクトガラス３面上の空間と理解されたい。符号７は読み取り位置を示している。
【００１２】
図３は本発明の画像読み取り装置に使用する回転体の第１の変形例を示す概略外観図である。この第１の変形例において、密着型イメージセンサ１上の回転体８は図１および図２に示された扇形より小さい円弧部分を有している断面形状となっている。
【００１３】
図４は本発明の画像読み取り装置に使用する回転体の第２の変形例を示す概略外観図である。この第２の変形例において、密着型イメージセンサ１上の回転体９は矩形の板状断面形状となっている。
【００１４】
図５は本発明の画像読み取り装置に使用する回転体の第３の変形例を示す概略外観図である。この第３の変形例において、密着型イメージセンサ１上の回転体１０は十字形の板状断面形状となっている。
【００１５】
図６は本発明の画像読み取り装置に使用する回転体の第４の変形例を示す概略外観図である。この第４の変形例において、密着型イメージセンサ１上の回転体１１は略米字形の板状断面形状となっている。
【００１６】
図７は本発明の画像読み取り装置に使用する回転体の第２の実施の形態を示す概略外観図である。密着型イメージセンサ（ＣＩＳ）１は筐体２およびコンタクトガラス３を含んでいる。コンタクトガラス３上にはシェーディング補正用の白基準となる白基準板である回転体１２が設けてある。この回転体１２は偏心支点１３で支持されている。
【００１７】
回転体１２は偏心支点１３を中心にコンタクトガラス３面上で回転する。原稿６を走査する前にシェーディング補正用の白データをとるために、回転体１２はコンタクトガラス３面上にあり、原稿６の通過と共に、回転体１２は、原稿６の搬送の妨害とならないように回転し、原稿搬送通路となる隙間ができる。
【００１８】
第２の実施の形態の回転体１２は原理において第１の実施の形態の回転体４と同じであるが、回転体１２の中心を偏心位置として、円筒形状を有する回転体でも同じ作用効果を達成できるようにしたものである。
【００１９】
両方の実施の形態において、回転体４および１２は、原稿６が通過（スキャン位置を通過する）ときには、原稿６がコンタクトガラス３面から浮かないように一回転して原稿６上まで戻ってきて原稿６を押さえるような状態にすることもできる。
【００２０】
【発明の効果】
以上説明したように、請求項１によれば、ＣＩＳのコンタクトガラス面上でシェーディング補正用の白基準データを取ることができると同時に、原稿搬送の通路（隙間）を確保し、厚紙原稿でも対応することができる。
【００２１】
請求項２によれば、従来技術で使用されているプラテンローラのごとき円筒形状の回転体でも原稿搬送の通路（隙間）を確保し、厚紙原稿でも対応することができる。
【図面の簡単な説明】
【図１】本発明による画像読み取り装置の基本構成を示す概略図である。
【図２】図１のイメージセンサと回転体を示す概略斜視図である。
【図３】本発明の画像読み取り装置に使用する回転体の第１の変形例を示す概略外観図である。
【図４】本発明の画像読み取り装置に使用する回転体の第２の変形例を示す概略外観図である。
【図５】本発明の画像読み取り装置に使用する回転体の第３の変形例を示す概略外観図である。
【図６】本発明の画像読み取り装置に使用する回転体の第４の変形例を示す概略外観図である。
【図７】本発明の画像読み取り装置に使用する回転体の第２の実施の形態を示す概略外観図である。
【符号の説明】
１　密着型イメージセンサ（ＣＩＳ）
４　回転体
５　支点
６　原稿
１２　回転体（円筒形状の）
１３　偏心支点
【図１】
2004080448.tif 000003
【図２】
2004080448.tif 000004
【図３】
2004080448.tif 000005
【図４】
2004080448.tif 000006
【図５】
2004080448.tif 000007
【図６】
2004080448.tif 000008
【図７】
2004080448.tif 000009